(57)【要約】【課題】照明装置による陳列商品の温度上昇を効果的に解消することができるショーケースを提供する。【解決手段】ショーケース１は、陳列室６内に商品陳列用の棚７を架設して成る。棚７の下面に設けられた蛍光灯２１と、この蛍光灯２１の下方に間隔を存して配置された透光性のシェード２６を備える。このシェード２６は、赤外放射の透過を阻止する。蛍光灯２１とシェード２６間の間隔は、陳列室６内の冷気が通過可能な寸法を有する。蛍光灯２１とシェード２６間の間隔をＨ、シェード２６の奥行き方向の幅をＡとした場合、０．２Ａ＜Ｈ＜Ａとした。【選択図】図１
2016016108.tif 000002
【特許請求の範囲】
【請求項１】
陳列室内に商品陳列用の棚を架設して成るショーケースにおいて、
前記棚の下面に設けられた照明装置と、
該照明装置の下方に間隔を存して配置された透光性のシェードを備え、
該シェードは、赤外放射の透過を阻止することを特徴とするショーケース。
【請求項２】
前記陳列室は前面が開口し、該開口には冷気エアーカーテンが形成されると共に、
前記照明装置は、前記棚の下面前部に設けられていることを特徴とする請求項１に記載のショーケース。
【請求項３】
前記照明装置とシェード間の間隔は、前記陳列室内の冷気が通過可能な寸法を有することを特徴とする請求項１又は請求項２に記載のショーケース。
【請求項４】
前記照明装置とシェード間の間隔をＨ、前記シェードの奥行き方向の幅をＡとした場合、０．２Ａ＜Ｈ＜Ａとしたことを特徴とする請求項３に記載のショーケース。
【請求項５】
前記シェードの左右方向の幅は、前記照明装置の左右方向の幅と略等しく、前記シェードの奥行き方向の幅Ｄは、前記照明装置の奥行き方向の幅Ａよりも大きいことを特徴とする請求項１乃至請求項４のうちの何れかに記載のショーケース。
【請求項６】
前記シェードの奥行き方向の幅Ｄは、その上側の照明装置から放射された光束が、その下方の前記棚上に直接到達しない値に設定されていることを特徴とする請求項５に記載のショーケース。
【請求項７】
前記棚の先端に設けられた商品落下防止用のガードを備え、前記シェードは前記棚に対して平行で、且つ、前記ガードと間隔を存して設けられていることを特徴とする請求項１乃至請求項６のうちの何れかに記載のショーケース。
【請求項８】
前記シェードは、可視光線に対して透明な材料にて構成されると共に、表面には赤外線を吸収する皮膜が形成されていることを特徴とする請求項１乃至請求項７のうちの何れかに記載のショーケース。
【発明の詳細な説明】
【技術分野】
【０００１】
本発明は、商品陳列用の棚の下面に照明装置を設けたショーケースに関するものである。
【背景技術】
【０００２】
従来より此の種ショーケース、特にオープンショーケースは、前面が開口した陳列室内に商品陳列用の棚を複数段架設している。そして、陳列室の開口には冷気エアーカーテンを形成すると共に、棚の下面前部には蛍光灯等の照明装置を取り付け、その下方の棚上の商品を照明するように構成されていた（例えば、特許文献１）。
【０００３】
また、特許文献１では照明装置（蛍光灯）にガイド板を取り付け、冷気を前下方に案内するようにして、冷気エアーカーテンと陳列室内の空気が干渉しないように工夫していた。
【先行技術文献】
【特許文献】
【０００４】
【特許文献１】実開昭５５−２６３８２号公報
【特許文献２】実開平４−１４３０５号公報
【発明の概要】
【発明が解決しようとする課題】
【０００５】
しかしながら、前記特許文献１では照明装置（蛍光灯）から発せられた熱及び赤外放射がガイド板内でこもり、照明装置を包囲する空間の温度が著しく上昇する危険性がある。また、ガイド板を透過した照明装置から放射された赤外線が、その下方の棚上の商品に照射されて商品の温度を上昇させてしまう不都合もある。
【０００６】
この問題を解決するために、特許文献２では蛍光灯を収納する透明管に熱線反射膜を形成しているが、この特許文献２でも熱及び透明管に反射した赤外放射がその内部にこもり、温度が上昇した透明管からの輻射熱により陳列室内の温度を上昇させ、やはり商品の温度上昇を来すと云う問題があった。
【０００７】
本発明は、係る従来の技術的課題を解決するために成されたものであり、照明装置による陳列商品の温度上昇を効果的に解消することができるショーケースを提供することを目的とする。
【課題を解決するための手段】
【０００８】
上記課題を解決するために、本発明のショーケースは、陳列室内に商品陳列用の棚を架設して成るものにおいて、棚の下面に設けられた照明装置と、この照明装置の下方に間隔を存して配置された透光性のシェードを備え、このシェードは、赤外放射の透過を阻止することを特徴とする。
【０００９】
請求項２の発明のショーケースは、上記発明において陳列室は前面が開口し、この開口には冷気エアーカーテンが形成されると共に、照明装置は、棚の下面前部に設けられていることを特徴とする。
【００１０】
請求項３の発明のショーケースは、上記各発明において照明装置とシェード間の間隔は、陳列室内の冷気が通過可能な寸法を有することを特徴とする。
【００１１】
請求項４の発明のショーケースは、上記発明において照明装置とシェード間の間隔をＨ、シェードの奥行き方向の幅をＡとした場合、０．２Ａ＜Ｈ＜Ａとしたことを特徴とする。
【００１２】
請求項５の発明のショーケースは、上記各発明においてシェードの左右方向の幅は、照明装置の左右方向の幅と略等しく、シェードの奥行き方向の幅Ｄは、照明装置の奥行き方向の幅Ａよりも大きいことを特徴とする。
【００１３】
請求項６の発明のショーケースは、上記発明においてシェードの奥行き方向の幅Ｄは、その上側の照明装置から放射された光束が、その下方の棚上に直接到達しない値に設定されていること特徴とする。
【００１４】
請求項７の発明のショーケースは、上記各発明において棚の先端に設けられた商品落下防止用のガードを備え、シェードは棚に対して平行で、且つ、ガードと間隔を存して設けられていることを特徴とする。
【００１５】
請求項８の発明のショーケースは、上記各発明においてシェードは、可視光線に対して透明な材料にて構成されると共に、表面には赤外線を吸収する皮膜が形成されていることを特徴とする。
【発明の効果】
【００１６】
本発明によれば、陳列室内に商品陳列用の棚を架設して成るショーケースにおいて、棚の下面に設けられた照明装置と、この照明装置の下方に間隔を存して配置された透光性のシェードを備え、このシェードが、赤外放射の透過を阻止するようにしたので、照明装置から放射された赤外放射によってその下方の棚上の商品の温度が上昇してしまう不都合を回避することが可能となる。これにより、陳列室内の棚上に陳列された商品を照明しながら、円滑に冷却することができるようになる。
【００１７】
特に、間隔を存して照明装置の下方にシェードを設けているので、請求項２の如き前面開口に冷気エアーカーテンが形成されるオープンショーケースにおいては、請求項３の如くそれらの間の間隔を冷気が通過可能な間隔とすることで、照明装置から放射される輻射熱を冷気エアーカーテンに合流させて運び去ることが可能となる。
【００１８】
この場合、請求項４の発明の如く照明装置とシェード間の間隔をＨ、シェードの奥行き方向の幅をＡとした場合に、０．２Ａ＜Ｈ＜Ａとすることで、照明装置とシェード間の冷気の流通を確保しつつ、シェードが商品の納出に邪魔になることを防ぐことが可能となる。
【００１９】
また、請求項８の如く可視光線に対して透明な材料の表面に赤外線を吸収する皮膜を形成することでシェードを構成した場合、吸収した赤外線による熱を円滑に処理することができ、熱の蓄積による陳列室内の温度上昇も防ぐことが出来るようになる。
【００２０】
更に、請求項５の発明の如くシェードの左右方向の幅を、照明装置の左右方向の幅と略等しく、シェードの奥行き方向の幅Ｄを、照明装置の奥行き方向の幅Ａよりも大きくし、請求項６の如くシェードの上側の照明装置から放射された光束が、その下方の棚上に直接到達しないようにすることで、下方の棚上の商品の温度上昇を確実に防止することができるようになる。
【００２１】
また、請求項７の発明の如くシェードを棚に対して平行とすることで、陳列室内の冷気の流れを乱す不都合も生じない。更に、棚の先端に商品落下防止用のガードが設けられている場合には、シェードをガードと間隔を存して設けることで、照明装置とシェード間の冷気の流れも支障無く確保することが可能となる。
【図面の簡単な説明】
【００２２】
【図１】本発明を適用したショーケースの縦断側面図である。
【図２】図１のショーケースの冷気の流れを説明する要部拡大図である。
【発明を実施するための形態】
【００２３】
以下、本発明の実施の形態について、詳細に説明する。図１において、実施例のショーケース１は、前面が開口した所謂オープンショーケースである。このショーケース１は、断面略コ字状の断熱壁２と、この断熱壁２の内側に間隔を存して配置した仕切板３と、図示しない断熱側板から成り、仕切板３の下端には、デッキパン（これも本出願における棚に含まれる）４が取り付けられ、これら仕切板３とデッキパン４の内側に、前面が開口した陳列室６とされている。
【００２４】
そして、この陳列室６内には商品陳列用の棚７が複数段架設されている。また、仕切板３及びデッキパン４と断熱壁２との間には、ダクト８が構成されており、このダクト８は、陳列室６の前面開口の上縁に形成された冷気吐出口１１と、下縁に形成された冷気吸込口１２に連通している。ダクト８内には冷却装置を構成する蒸発器１３と、送風機１４が配設されており、蒸発器１３と熱交換した冷気は送風機１４によりダクト８内を吹き上がられ、冷気吐出口１１から開口に吐出される。この開口に吐出された冷気は冷気吸込口１２から吸い込まれ、これより、陳列室６の開口に冷気エアーカーテンＡＣ(図２）が形成される。
【００２５】
また、背面を構成する仕切板３には、冷気吹出口１６が形成されており、ダクト８内を吹き上げられる冷気の一部はこの冷気吹出口１６からも吹き出される。陳列室６内は係る冷気吹出口１６からの冷気と、冷気エアーカーテンＡＣの冷気の一部が循環されることで所定の温度に冷却されることになる。
【００２６】
一方、各棚７の下面前部には、照明装置としての蛍光灯２１が取り付けられている。尚、蛍光灯２１は棚７下面の他、天面を構成する仕切板３の下面や、断熱壁２の上端から前方に突出するキャノピー２２にも取り付けられている。そして、各蛍光灯２１から放射された光が陳列室６内を照明する。特に、各棚７の下面に蛍光灯２１は、それらの下方の棚７やデッキパン４上に陳列された商品に照射されて照明する。
【００２７】
尚、２３は各棚７の前端に取り付けられたガードであり、棚７上に陳列された商品の落下を防止するために棚７の上面より上方に突出している。
【００２８】
更に、本発明ではこれら棚７に取り付けられた蛍光灯２１の下方に、シェード２６を設けている。このシェード２６は可視光線に対して透明なアクリル樹脂にて板状に構成されており、蛍光灯２１と所定の間隔Ｈを存して棚７に対して平行となるように当該棚７に取り付けられている。この間隔Ｈは、蛍光灯２１の奥行き方向の幅（直径）をＡとした場合に、０．２Ａ＜Ｈ＜Ａの関係で設定し、少なくとも蛍光灯２１とシェード２６間に冷気が流通可能とする。また、シェード２６とガード２３との間に所定の間隔を形成する。
【００２９】
また、シェード２６の左右方向の幅は蛍光灯２１の左右方向（長手方向）の幅と略等しい。更に、シェード２６の奥行き方向の幅Ｄは、蛍光灯２１の奥行き方向の幅Ａよりも大きい。特に、シェード２６の前端は、蛍光灯２１と棚７（又はデッキパン４）の前端とを結ぶ線Ｌ１上、又は、それより前に位置し、シェード２６の後端は、蛍光灯２１と棚７（又はデッキパン４）の後端とを結ぶ線Ｌ２上、又は、それより後に位置している（図２）。これにより、蛍光灯２１から放射された光束が、その下方の棚７やデッキパン４上に直接到達することが無くなり、必ずシェード２６を通過することになる。
【００３０】
更に、シェード２６の表面には赤外線を吸収する皮膜が形成されている。この皮膜は、金属酸化膜微粒子を分散させた樹脂被膜、或いは、赤外線を吸収する有機化合物（フタロシアニン化合物等）を添加した樹脂被膜で実現することができる。
【００３１】
このように構成したことにより、棚７の下面前部に取り付けられた蛍光灯２１から放射された光束は必ずシェード２６を通過してその下方の棚７やデッキパン４上に照射されると共に、光束に含まれる可視光線は透過し、赤外線は、シェード２６の表面に形成された被膜に吸収される。これにより、蛍光灯２１からの赤外放射の透過は阻止され、シェード２６下方の棚７やデッキパン４上の商品には照射されなくなる。
【００３２】
また、蛍光灯２１とシェード２６間の間隔Ｈには、図２に矢印で示すように冷気吹出口１６から吹き出された冷気や、陳列室６内に流入した冷気エアーカーテンＡＣの冷気の一部が流通する。シェード２６の被膜に吸収された赤外線は、この蛍光灯２１とシェード２６間を流通する冷気にのって前方に運ばれ、冷気エアーカーテンＡＣと共に冷気吸込口１３からダクト８に運ばれて蒸発器１３により冷却されることになる。
【００３３】
以上のように本発明では、ショーケース１の棚７の下面前部に取り付けられた蛍光灯２１の下方に間隔Ｈを存して透光性のシェード２６を配置し、このシェード２６は、赤外放射の透過を阻止する構成としたので、蛍光灯２１から放射された赤外放射によってその下方の棚７（デッキパン４も含む。以下同じ）上の商品の温度が上昇してしまう不都合を回避することが可能となる。これにより、陳列室６内の棚７上に陳列された商品を照明しながら、円滑に冷却することができるようになる。
【００３４】
特に、間隔Ｈを存して蛍光灯２１の下方にシェード２６を設けているので、実施例のように陳列室６の前面開口に冷気エアーカーテンＡＣが形成されるオープンショーケースにおいては、それらの間の間隔Ｈに冷気を通過させることで、蛍光灯２１から放射される輻射熱を冷気エアーカーテンＡＣに合流させて運び去ることが可能となる。
【００３５】
この場合、実施例では蛍光灯２１とシェード２６間の間隔をＨ、シェード２６の奥行き方向の幅をＡとした場合に、０．２Ａ＜Ｈ＜Ａとしているので、蛍光灯２１とシェード２６間の冷気の流通を確保しつつ、シェード２６が商品の納出に邪魔になることを防ぐことが可能となる。
【００３６】
また、可視光線に対して透明な材料の表面に赤外線を吸収する皮膜を形成することでシェード２６を構成することで、蛍光灯２１とシェード２６間を流通する冷気により、被膜に吸収した赤外線による熱を円滑に処理することができ、熱の蓄積による陳列室６内の温度上昇も防ぐことが出来るようになる。
【００３７】
更に、シェード２６の左右方向の幅を、蛍光灯２１の左右方向の幅と略等しく、シェード２６の奥行き方向の幅Ｄを、蛍光灯２１の奥行き方向の幅Ａよりも大きくし、シェード２６の上側の蛍光灯２１から放射された光束が、その下方の棚７上に直接到達しないようにしているので、下方の棚７上の商品の温度上昇を確実に防止することができるようになる。
【００３８】
また、シェード２６は棚７に対して平行とされているので、陳列室６内の冷気の流れを乱す不都合も生じない。更に、シェード２６は、棚７の先端に商品落下防止用のガード２３とも間隔を存して設けられているので、蛍光灯２１とシェード２６間の冷気の流れも支障無く確保することが可能となる。
【００３９】
尚、実施例では陳列室６の前面が開口したオープンショーケースで本発明を説明したが、請求項１の発明ではそれに限らず、開口を透明扉等で開閉自在に閉塞した所謂リーチインタイプのショーケースにも本発明は有効である。
【００４０】
また、実施例では照明装置として蛍光灯を取り付けた場合について説明したが、それに限らず、下方の棚（デッキパン）方向に輻射熱（赤外線）を放射する照明装置全般に対して本発明は有効である。
【符号の説明】
【００４１】
１  ショーケース
２  断熱壁
３  仕切板
４  デッキパン
６  陳列室
７  棚
８  ダクト
１１  冷気吐出口
１２  冷気吸込口
１３  蒸発器
１４  送風機
１６  冷気吹出口
２１  蛍光灯（照明装置）
２３  ガード
２６  シェード
【図１】
2016016108.tif 000003
【図２】
2016016108.tif 000004